【手続補正書】
【提出日】平成30年2月2日(2018.2.2)
【手続補正１】
【補正対象書類名】特許請求の範囲
【補正対象項目名】全文
【補正方法】変更
【補正の内容】
【特許請求の範囲】
【請求項１】
１又は複数の画像からなる第１画像群の中から選択された複数の選択画像のそれぞれの画像属性を示す画像属性情報に基づいて検索条件を作成する検索条件作成手段と、
前記検索条件に基づいて画像群の中から第２画像群を検索する検索手段と、
を有する画像検索装置。
【請求項２】
前記検索手段は、
画像属性情報に基づいて前記画像群の中から前記第１画像群を検索する第１検索手段と、
前記検索条件に基づいて前記画像群の中から前記第２画像群を検索する第２検索手段と、
を有する、
ことを特徴とする請求項１に記載の画像検索装置。
【請求項３】
優先度決定手段を更に有し、
前記検索条件作成手段は、各選択画像の複数の画像属性を示す複数の画像属性情報に基づいて、画像属性毎の検索条件を作成し、
前記優先度決定手段は、各選択画像間の画像属性情報の差分に基づいて、各検索条件の優先度を決定し、
前記第２検索手段は、前記優先度に基づいて、画像属性毎の検索条件の中から検索に用いられる検索条件を決定し、当該検索条件に基づいて前記第２画像群を検索する、
ことを特徴とする請求項２に記載の画像検索装置。
【請求項４】
優先度決定手段を更に有し、
前記検索条件作成手段は、各選択画像の複数の画像属性を示す複数の画像属性情報に基づいて、画像属性毎の検索条件を作成し、
前記優先度決定手段は、各選択画像間の画像属性情報の差分に基づいて、各検索条件の優先度を決定し、
前記第２検索手段は、画像属性毎の検索条件に基づいて前記第２画像群を検索し、前記第２画像群の中で優先度の高い検索条件に適合する画像ほど、優先的に出力する、
ことを特徴とする請求項２に記載の画像検索装置。
【請求項５】
前記差分が小さいほど優先度は高い、
ことを特徴とする請求項３又は請求項４に記載の画像検索装置。
【請求項６】
選択画像の画像属性情報は、選択画像の画像属性を示す数値であり、
前記検索条件作成手段は、選択画像の画像属性を示す数値に基づいて、数値範囲で規定される検索条件を作成し、
前記第２検索手段は、画像属性を示す数値が前記数値範囲に含まれる前記第２画像群を検索する、
ことを特徴とする請求項２から請求項５のいずれか一項に記載の画像検索装置。
【請求項７】
選択画像の画像属性情報は、選択画像に表されているオブジェクトを示す文字列であり、
前記検索条件作成手段は、前記複数の選択画像に表されている各オブジェクトが同一オブジェクト種に属する場合、当該オブジェクトを示す文字列を検索条件として採用し、各オブジェクトが同一オブジェクト種に属さず同一カテゴリに属する場合、当該カテゴリを示す文字列を検索条件として採用し、
前記第２検索手段は、検索条件として採用された文字列を含む文字列が画像属性情報として規定されている前記第２画像群を検索する、
ことを特徴とする請求項２から請求項５のいずれか一項に記載の画像検索装置。
【請求項８】
前記第２検索手段は、各選択画像間の画像属性情報の差分が予め設定された閾値以上となる画像属性についての検索条件を除外して前記第２画像群を検索する、
ことを特徴とする請求項２から請求項７のいずれか一項に記載の画像検索装置。
【請求項９】
コンピュータを、
１又は複数の画像からなる第１画像群の中から選択された複数の選択画像のそれぞれの画像属性を示す画像属性情報に基づいて検索条件を作成する検索条件作成手段、
前記検索条件に基づいて画像群の中から第２画像群を検索する検索手段、
として機能させるプログラム。
【請求項１０】
前記検索手段は、
画像属性情報に基づいて前記画像群の中から前記第１画像群を検索する第１検索手段と、
前記検索条件に基づいて前記画像群の中から前記第２画像群を検索する第２検索手段と、
を有する、
ことを特徴とする請求項９に記載のプログラム。
【手続補正２】
【補正対象書類名】明細書
【補正対象項目名】０００８
【補正方法】変更
【補正の内容】
【０００８】
請求項１に係る発明は、１又は複数の画像からなる第１画像群の中から選択された複数の選択画像のそれぞれの画像属性を示す画像属性情報に基づいて検索条件を作成する検索条件作成手段と、前記検索条件に基づいて画像群の中から第２画像群を検索する検索手段と、を有する画像検索装置である。
【手続補正３】
【補正対象書類名】明細書
【補正対象項目名】０００９
【補正方法】変更
【補正の内容】
【０００９】
請求項２に係る発明は、前記検索手段は、画像属性情報に基づいて前記画像群の中から前記第１画像群を検索する第１検索手段と、前記検索条件に基づいて前記画像群の中から前記第２画像群を検索する第２検索手段と、を有する、ことを特徴とする請求項１に記載の画像検索装置である。
請求項３に係る発明は、優先度決定手段を更に有し、前記検索条件作成手段は、各選択画像の複数の画像属性を示す複数の画像属性情報に基づいて、画像属性毎の検索条件を作成し、前記優先度決定手段は、各選択画像間の画像属性情報の差分に基づいて、各検索条件の優先度を決定し、前記第２検索手段は、前記優先度に基づいて、画像属性毎の検索条件の中から検索に用いられる検索条件を決定し、当該検索条件に基づいて前記第２画像群を検索する、ことを特徴とする請求項２に記載の画像検索装置である。
【手続補正４】
【補正対象書類名】明細書
【補正対象項目名】００１０
【補正方法】変更
【補正の内容】
【００１０】
請求項４に係る発明は、優先度決定手段を更に有し、前記検索条件作成手段は、各選択画像の複数の画像属性を示す複数の画像属性情報に基づいて、画像属性毎の検索条件を作成し、前記優先度決定手段は、各選択画像間の画像属性情報の差分に基づいて、各検索条件の優先度を決定し、前記第２検索手段は、画像属性毎の検索条件に基づいて前記第２画像群を検索し、前記第２画像群の中で優先度の高い検索条件に適合する画像ほど、優先的に出力する、ことを特徴とする請求項２に記載の画像検索装置である。
【手続補正５】
【補正対象書類名】明細書
【補正対象項目名】００１１
【補正方法】変更
【補正の内容】
【００１１】
請求項５に係る発明は、前記差分が小さいほど優先度は高い、ことを特徴とする請求項３又は請求項４に記載の画像検索装置である。
【手続補正６】
【補正対象書類名】明細書
【補正対象項目名】００１２
【補正方法】変更
【補正の内容】
【００１２】
請求項６に係る発明は、選択画像の画像属性情報は、選択画像の画像属性を示す数値であり、前記検索条件作成手段は、選択画像の画像属性を示す数値に基づいて、数値範囲で規定される検索条件を作成し、前記第２検索手段は、画像属性を示す数値が前記数値範囲に含まれる前記第２画像群を検索する、ことを特徴とする請求項２から請求項５のいずれか一項に記載の画像検索装置である。
【手続補正７】
【補正対象書類名】明細書
【補正対象項目名】００１３
【補正方法】変更
【補正の内容】
【００１３】
請求項７に係る発明は、選択画像の画像属性情報は、選択画像に表されているオブジェクトを示す文字列であり、前記検索条件作成手段は、前記複数の選択画像に表されている各オブジェクトが同一オブジェクト種に属する場合、当該オブジェクトを示す文字列を検索条件として採用し、各オブジェクトが同一オブジェクト種に属さず同一カテゴリに属する場合、当該カテゴリを示す文字列を検索条件として採用し、前記第２検索手段は、検索条件として採用された文字列を含む文字列が画像属性情報として規定されている前記第２画像群を検索する、ことを特徴とする請求項２から請求項５のいずれか一項に記載の画像検索装置である。
【手続補正８】
【補正対象書類名】明細書
【補正対象項目名】００１４
【補正方法】変更
【補正の内容】
【００１４】
請求項８に係る発明は、前記第２検索手段は、各選択画像間の画像属性情報の差分が予め設定された閾値以上となる画像属性についての検索条件を除外して前記第２画像群を検索する、ことを特徴とする請求項２から請求項７のいずれか一項に記載の画像検索装置である。
【手続補正９】
【補正対象書類名】明細書
【補正対象項目名】００１５
【補正方法】変更
【補正の内容】
【００１５】
請求項９に係る発明は、コンピュータを、１又は複数の画像からなる第１画像群の中から選択された複数の選択画像のそれぞれの画像属性を示す画像属性情報に基づいて検索条件を作成する検索条件作成手段、前記検索条件に基づいて画像群の中から第２画像群を検索する検索手段、として機能させるプログラムである。
請求項１０に係る発明は、前記検索手段は、画像属性情報に基づいて前記画像群の中から前記第１画像群を検索する第１検索手段と、前記検索条件に基づいて前記画像群の中から前記第２画像群を検索する第２検索手段と、を有する、ことを特徴とする請求項９に記載のプログラムである。
【手続補正１０】
【補正対象書類名】明細書
【補正対象項目名】００１６
【補正方法】変更
【補正の内容】
【００１６】
請求項１，２，９，１０に係る発明によると、ユーザによって設定された検索条件や画像群の統計的な情報を利用して画像が検索される場合と比較して、ユーザが設定し難い観点を検索条件として利用して画像が検索され得る。
【手続補正１１】
【補正対象書類名】明細書
【補正対象項目名】００１７
【補正方法】変更
【補正の内容】
【００１７】
請求項３−５に係る発明によると、画像属性情報の差分に応じて、画像が優先的に検索され、又は、出力される。
【手続補正１２】
【補正対象書類名】明細書
【補正対象項目名】００１８
【補正方法】変更
【補正の内容】
【００１８】
請求項６に係る発明によると、画像属性が数値で規定されている場合において、その数値を示す検索条件が自動的に作成される。
【手続補正１３】
【補正対象書類名】明細書
【補正対象項目名】００１９
【補正方法】変更
【補正の内容】
【００１９】
請求項７に係る発明によると、画像属性がオブジェクトを示す文字列で規定されている場合において、そのオブジェクトに関する検索条件が自動的に作成される。
【手続補正１４】
【補正対象書類名】明細書
【補正対象項目名】００２０
【補正方法】変更
【補正の内容】
【００２０】
請求項８に係る発明によると、各選択画像間で関連性が相対的に低い画像属性が検索条件から除外されて画像が検索される。